【事件の表示】
　特願２００７−６７５５０号「洗濯乾燥機」拒絶査定不服審判事件〔平成２０年８月２８日出願公開、特開２００８−１９４４３９号〕について、次のとおり審決する。
【結　論】
　本件審判の請求は、成り立たない。
【理　由】
１．手続の経緯
　本件に係る出願（以下「本願」という。）は、平成１９年３月１５日（優先権主張平成１９年１月１９日）の出願であって、平成２２年４月２７日付けで拒絶査定がなされ（発送日：同年５月１１日）、これに対し、同年８月９日に拒絶査定不服審判の請求がなされるとともに、その審判の請求と同時に手続補正がなされたものである。
　そして、平成２３年６月２８日付けで当審により拒絶理由通知がなされ、同年９月２日付けで手続補正がなされたものである。
　
２．本願発明について 
　本願の請求項１に係る発明（以下「本願発明」という。）は、平成２３年９月２日付け手続補正書により補正された明細書及び図面の記載からみて、その特許請求の範囲の請求項１に記載された事項により特定される次のとおりのものである。
「洗濯または脱水を行う水槽と、この水槽から空気を吸気するファンと、このファンによって前記水槽からの空気が通過する風路と、この風路の所定位置に設けられ、挿入方向及び取出方向に摺動可能で、周囲が壁面で囲まれ、上下方向に貫通する開口部が形成されたケースと、このケースの開口部を覆うように、前記壁面の上端部よりも下方に取り付けられ、前記空気からリントや塵埃を除去する乾燥フィルターと、前記ケースを出し入れ可能に収容し、前記風路の所定位置に形成され、前記ケースの開口部と連通する開口部を有する収容部と、前記乾燥フィルターの下流側であって前記ケースよりも上方に、前記風路を覆うように取り付けられ、前記空気からリントや塵埃を除去するバックアップフィルターと、このバックアップフィルターの下流側に設けられ、前記ファンによって排気され再び前記水槽へ送り込まれる空気を熱する加熱手段と、前記ケースの挿入方向奥側の壁面に基端が固定されると共に、その先端が前記バックアップフィルターに接触するように設けられ、前記バックアップフィルターの塵埃を掻き落とすブラシとを備えたことを特徴とする洗濯乾燥機。」
　
３．刊行物について
（１）当審による拒絶の理由において提示され、本願の優先権主張の日前に頒布された刊行物である特開２００２−３６０９６７号公報（以下「刊行物１」という。）には、図面と共に次の事項が記載されている。
a)「【発明の属する技術分野】本発明は、
洗濯乾燥機
b)「本発明の１つの目的は、操作し易い洗濯乾燥機を提案することにある。　具体的には、高濃度洗剤液生成・供給手段（特に洗剤投入箱）と糸屑捕集手段（特に糸屑フィルタ）の操作を容易にすることにある。」（段落【0007】〜【0008】）
c)「温風循環乾燥手段は、外槽５の下部の側壁に形成した吸い出し口５ａから該外槽５の後側の外壁面に沿って垂直状態で上向きに伸びるように形成して前記吸い出し口５ａから浸入した洗濯水を堰き止める除湿風路部である水冷除湿ダクト２３と、この水冷除湿ダクト２３内の上部に位置して該ダクト内に冷却水を供給する水冷除湿手段である冷却散水部２４と、洗濯工程における外槽５の水位よりも高い位置で折り返して該外槽５の外壁面に沿って該外槽５の下側に向かって垂直に伸びる下降風路部である下降風路ダクト２５と、外槽５の下側の空間に配置されて前記下降風路ダクト２５から吸い込み口に空気を吸い込んで循環空気を生成する循環ファン２６と、この循環ファン２６の吹き出し口から外槽５の外壁面に沿って上方向に垂直状態に伸びる上昇風路部である上昇風路ダクト２７と、外槽５の上端部に取り付けた
外槽上カバー２８上に設置されて前記上昇風路ダクト２７から送り込まれる循環空気を加熱する
ヒータ
２９
　
循環風路を構成する前記水冷除湿ダクト２３，下降風路ダクト２５および上昇風路ダクト２７
　また、下降風路ダクト２５内には湿度センサ４０と第１温度センサ４１を設置し、吹き込み口３０のヒータ２９の下流側の間の風路内には第２温度センサ４２を設置する。水冷除湿ダクト２３内で水冷除湿された循環空気の湿度と温度を精度良く検出するためには、水冷除湿された循環空気が良く混合されて均一になった後に前記湿度センサ４０と第１温度センサ４１に触れさせるのが良く、従って、湿度センサ４０と第１温度センサ４は、水冷除湿ダクト２３から遠く離れた下降風路ダクト２５の下部または循環ファン２６の吸い込み口ケーシング２６ｃに設置する。更に、湿度センサ４０と第１温度センサ４１は、保守作業に便利なように、裏側蓋１ａを外したときに露出するような設置位置とする。
　また、ここでは図示説明を省略するが、水冷除湿ダクト２３から下降風路ダクト２５への折り返し部分には、後述する糸屑捕集手段を備える。」（段落【0021】〜【0024】）
d)「このように洗濯および遠心脱水した洗濯物３８を洗濯兼脱水槽２内で乾燥させるように、洗濯兼脱水槽２と撹拌翼４を一体的または反対方向に回転させるように駆動装置６を制御し、外槽５および
洗濯兼脱水槽
内の湿潤空気を吸い出し口５ａから吸い出し
吹き込み口３０から洗濯兼脱水槽２内に吹き込む循環空気
循環ファン２６
e)「
水冷除湿ダクト２３の垂直部分と下降風路ダクト２５の上端部を連通させる上部折り返し部材４４
糸屑フィルタ４５を
挿脱可能に収納する
f)「このように構成した洗濯乾燥機は、水冷除湿ダクト２３や風路ダクト２５，２７を外槽５と一体成形により形成するように構成しているので、循環風路を合理的に形成することができる。
　また、水冷除湿ダクト２３は、外槽５の下部の吸い出し口５ａの周縁部から一体的に連続させて上端を上向きに開口するように成形しているので、容易に水密構造とすることができる。
　また、循環ファン２６を外槽５の下側の空間に配置したことによって洗濯乾燥機の背丈の増加を軽減することができる。
　また、給水電磁弁２０，２２，２２ａや洗剤溶解容器２１を外枠１の上端部に取り付けられたトップカバー９のバックパネルボックス１７内に設置し、循環風路の吹き込み口３０と糸屑捕集フィルタ４５を
外槽５の上端部に取り付けられた外槽上カバー２８上に設置した
g)「【発明の効果】本発明は、高濃度洗剤液生成・供給手段（特に洗剤投入箱）と糸屑捕集手段（特に糸屑フィルタ）の操作が容易である。」（段落【0088】）
　
　上記a〜gの記載事項及び図面の図示内容を総合勘案すると刊行物１には、次の発明が記載されていると認められる。
「洗濯兼脱水槽2と、
　洗濯兼脱水槽2内の湿潤空気を吸い出し口5aから吸い出す循環ファン26と、
　水冷除湿ダクト23、下降風路ダクト25、及び、上昇風路ダクト27から構成される循環風路と、
　水冷除湿ダクト23の垂直部分と下降風路ダクト25の上端部とを連通させる上部折り返し部材44に、挿脱可能に収納される糸屑フィルタ45と、
　外槽5の上端部に取り付けられた外装上カバー28上に設置されて上昇風路ダクト27から送り込まれ、吹き込み口30から洗濯兼脱水槽２内に向けて吹き込まれる循環空気を加熱するヒータ29とを備えた洗濯乾燥機。」
　
（２）同じく、当審による拒絶の理由において提示され、本願の優先権主張の日前に頒布された刊行物である特開平３−１５４９６号公報（以下「刊行物２」という。）には、図面と共に次の事項が記載されている。
a)「（イ）産業上の利用分野
　本発明は、外部空気を加熱して乾燥室に導入し、排気口から導出する排気乾燥作業と、クーラー、第２フィルター及びヒータを有する回収槽と上記乾燥室との間で乾燥風を循環させ且つ溶剤を回収する回収乾燥作業とを実行できる溶剤回収式の
衣類乾燥機
b)「（ハ）発明が解決しようとする課題
　このように、従来例では、排気乾燥作業時にリントを含む使用ずみの乾燥風を排気口からそのまま排出するので、環境悪化をもたらす。
　そこで、排気口に第２フィルターを付設することにより改善を図ると、
２つのフィルターの
　本発明は、環境及び
作業性の悪化を防止せんとする
c)「（ホ）作用
　排気乾燥作業時に使用ずみの乾燥風は、第２フィルターを介して排気口から排出され、リントは第２フィルターで捕獲される。一方、回収乾燥作業時には、循環する乾燥風は、乾燥室出口、回収槽入口、第１フィルターと流れて
リントを第１フィルターで捕獲される
　そして、この回収乾燥作業時には、乾燥風は排気口に対してポケットを介して負圧を働かせたり、排気口の第２フィルターを洗って行く。従って、第２フィルターが捕獲していたリントは、全部ではないが乾燥風と共に流れて第１フィルターに至り、ここで再度捕獲される。即ち、第２フィルターで捕獲されたリントは第１フィルターに移される。
　かくして、第２フィルターの目づまりはほとんど無く、第１フィルターだけを抜出し、掃除、交換すれば、目づまりによる風量低下、効率低下を生じることはないのである。
（へ）実施例
　以下、図面に基づいて説明すると、石油系溶剤を用いて洗浄された衣類の乾燥機は、機体１内を上下二段に区画し、上段には多数の通気口が穿設された横軸型の回転ドラム２を収容した乾燥室３を構成し、下段にはＵ字型の風路を有する回収槽４を構成している。
　乾燥室３の前面には、扉５を備えた衣類出入口が設けられ、後面には回転ドラム２を軸支し且つ低速回転させる回転軸６が貫通させてある。回転ドラム２の周側の中間部位全周には、後方に向けて拡開したラッパ状のシール材（フェルト）７が固定してあり、乾燥室３の同位置に設けられた環状のフランジ８に摺接させてある。
　乾燥室３の底面の後寄りには下向きの出口９が、前寄りには上向きの入口１０が夫々設けてあり、この出口９、入口１０に回収槽４の両端が接続される。
回収槽４は、
第１フィルター１４
を
装着し
　第１図及び第２図で示すように、
第１フィルター１４は、蓋２０及び把手２ｌと箱２２を
一体化した
箱２２がパンチング孔等を利用してフィルター機能を果す
第１フィルター１４は、箱２２を槽内のレール２３、２３に乗せて抜出自在とし
d)「第３図で示すフローチャートに基づいて運転動作を説明すると、電源投入、スタートキー操作により、連通弁１３が開放して吸気弁１８が閉成し、回転ドラム２、クーラー１５、ファン１６、ヒータ１７がＯＮし、制御温度として溶剤の引火点温度が設定されると共に、運転時間として回収乾燥作業時間が設定される。
　従って、
乾燥風は乾燥室３と回収槽４間で循環し
　従って、乾燥風は、吸気口１９から吸引され、ヒータ１７によって加熱されて乾燥室３に導入され、ドラム２を抜け、第２フィルター３２を介して排気口３０及びダクト３１から外部に導出される。
　第２フィルター３２によって捕獲され、付着或いは積層したリントは、所定以上の厚みになると、ブレード２９…によってかき落され、出口９からポケット１１に収容される。そして、次回の
回収乾燥作業時
　このように、第２フィルター３２によって捕獲されたリントは、所定以上になると、運転が繰返される度に、第１フィルター１４に自動的に移送される。従って、マイコンがカウントし、表示する運転回数を参照して第１フィルター１４だけを適時放出して掃除或いは交換すれば、乾燥運転中の目づまりは略解消できることになる。」（第3ページ左上欄第7行〜同左下欄第13行）
e)上記cの記載事項及び図面の図示内容によれば、第１フィルター１４を構成する
箱２２が、周囲を壁面で囲まれている
　
　上記a〜dの記載事項、上記eの認定事項、及び、図面の図示内容を総合勘案すると刊行物２には、次の発明が記載されているものと認められる。
「フィルターの作業性の悪化を防止することを目的として、
　回収乾燥作業時に乾燥室3との間で乾燥風を循環させる回収槽4に装着され、槽内のレール23に乗せて抜出自在とされ、周囲を壁面で囲まれている、底壁面にパンチング孔等を利用したフィルター機能を果す箱22と、蓋20と、把手21とを一体化し、リントを捕獲する第１フィルター14と、
　第１フィルター14を通過した乾燥風を乾燥室3に戻す前に再加熱するヒータ17とを備えた衣類乾燥機。」
　
（３）同じく、当審による拒絶の理由において提示され、本願の優先権主張の日前に頒布された刊行物である実願平４−５０９０７号（実開平６−３２９９号）のＣＤ−ＲＯＭ（以下「刊行物３」という。）には、図面と共に次の事項が記載されている。
a)「【産業上の利用分野】
　本考案は、長尺布帛を連続的に移送し、熱風を循環させて布帛を乾燥する布帛熱風乾燥機に設備するフィルタ装置に関するものである。」（段落【0001】）　
b)「そして上記の長尺布帛を連続的に乾燥する熱風乾燥室内においては、布帛の乾燥に伴って多量の
糸屑
等の塵埃
【考案が解決しようとする課題】
　ところが、布帛を連続的に通過させる熱風乾燥室内においては、上記したように常時多量の塵埃が生じているために、そのファンの駆動によって、たちまちのうちに集塵フィルタには目詰りが生じて通風効率が低下し、布帛の乾燥にも悪影響が及ぼされるという不具合が生じる。
　そこで、しばしば布帛熱風乾燥機を停止し、
集塵フィルタを清掃する作業
は非能率で布帛熱風乾燥機の稼働率が向上しないという問題があった
　本考案は、かかる従来の不具合に着目してなされたもので、その目的は機台運転中であっても集塵フィルタの清掃が可能であり、送風力を衰退させることのない布帛熱風乾燥機用フィルタ装置を提供することである。」（段落【0003】〜【0006】）
c)「図１において、（１）は熱風循環路であって、この熱風循環路（１）には下流側より順次第一集塵フィルタ（３），第二集塵フィルタ（４），ヒータ（２）が設けられており、上記
第一集塵フィルタ（３）は熱風循環路（１）に挿抜可能に取りつけられている
　以上が本実施例の構成であるが、次にその作用について述べると、各送風機（１０）を駆動することにより布帛熱風乾燥機（６）内を走行する布帛（７）には熱風が吹きつけられ、その布帛（７）の乾燥が進行されるものであるが、この送風機（１０）の駆動によって、布帛熱風乾燥機（６）内の熱エネルギーは熱風循環路（１）を循環されながら布帛（７）へ付与される。この熱エネルギー（熱風）の循環作用によって、その
熱風中に含まれる糸屑等の塵埃は、第一集塵フィルタ（３）及び第二集塵フィルタ（４）
フィルタ面に付着
　そして、第一集塵フィルタ（３）が乾燥室（８）内の塵埃により目詰りを生じた場合には、第一集塵フィルタ（３）を熱風循環路（１）より抜き出し、例えば作業員がブラシ等を用いて清掃を行い、清掃後第一集塵フィルタ（３）を熱風循環路（１）に挿入するようにする。そして
第一集塵フィルタ（３）を熱風循環路（１）に挿抜する時に、第一集塵フィルタ（３）に設けたブラシ部材（５）
第二集塵フィルタ（４）に接触しながら移動するようになる
第二集塵フィルタ（４）に付着した塵埃の清掃は自動的に行われる
d)上記cの記載事項及び【図1】の図示内容によると、
第２集塵フィルタ４が熱風循環風路1の第１集塵フィルタ3からみて、下流上方に取り付けられること
ヒータ2が熱風循環風路1の第２集塵フィルタ４からみて、下流上方に取り付けられること
e)上記cの記載事項及び【図1】の図示内容によると、刊行物３には、
ブラシ部材5を第１集塵フィルタ3の奥側に設けた
　
　上記a〜cの記載事項、上記d〜eの認定事項、及び、図面の図示内容を総合勘案すると刊行物３には、次の発明が記載されていると認められる。
「集塵フィルタを清掃する作業は非能率で乾燥機の稼働率を向上させることを目的として、
　熱風循環路1に挿抜可能に取り付けられ、熱風中に含まれる糸屑等の塵埃をフィルタ面に付着させる第一集塵フィルタ3と、
　第一集塵フィルタ3の下流上方に取り付けられ、熱風中に含まれる糸屑等の塵埃をフィルタ面に付着させる、第二集塵フィルタ4と、
　熱風循環路1の第二集塵フィルタ4からみて、下流上方に取り付けられたヒータ2 と、
　第一集塵フィルタ3の奥側に設け、第一集塵フィルタ3を熱風循環路1に挿抜する時に第二集塵フィルタ4に接触しながら移動し、第二集塵フィルタ4に付着した塵埃の清掃は自動的に行われるブラシ部材5とを備えた熱風を循環させて布帛を乾燥する布帛熱風乾燥機。」
　
４．対比
　本願発明と刊行物１に記載された発明とを対比する。
　刊行物１に記載された発明の「洗濯兼脱水槽2」は、その構成及び機能からみて、本願発明の「洗濯または脱水を行う水槽」に相当し、以下同様に、
　「洗濯兼脱水槽2内の湿潤空気を吸い出し口5aから吸い出す循環ファン26」は、「この水槽から空気を吸気するファン」に、
　「水冷除湿ダクト23、下降風路ダクト25、及び、上昇風路ダクト27から構成される循環風路」は、循環ファン26によって吸い出し口５aから吸い出された湿潤空気が、循環風路を通ることから、「ファンによって水槽からの空気が通過する風路」に、
　「外槽5の上端部に取り付けられた外装上カバー28上に設置されて上昇風路ダクト27から送り込まれ、吹き込み口30から洗濯兼脱水槽２内に向けて吹き込まれる循環空気を加熱するヒータ29」は、循環ファン26によって、循環空気が洗濯兼脱水槽２内に向けて吹き込まれることから、「ファンによって排気され再び水槽へ送り込まれる空気を熱する加熱手段」に、
それぞれ相当する。
　そして、刊行物１に記載された発明の「水冷除湿ダクト23の垂直部分と下降風路ダクト25の上端部とを連通させる上部折り返し部材44に、挿脱可能に収納される糸屑フィルタ45」と、本願発明の「風路の所定位置に設けられ、挿入方向及び取出方向に摺動可能で、周囲が壁面で囲まれ、上下方向に貫通する開口部が形成されたケースと、このケースの開口部を覆うように、壁面の上端部よりも下方に取り付けられ、空気からリントや塵埃を除去する乾燥フィルター」とは、前者において、上部折り返し部材44が、水冷除湿ダクト23、下降風路ダクト25、及び、上昇風路ダクト27とともに、吸い出し口５aから吸い出された湿潤空気が通過する循環風路を構成するものであるから、両者は、「風路の所定位置に設けられ、出入可能な、リントや塵埃を除去する乾燥フィルター」である点で共通する。
　
　したがって、両者の一致点および相違点は、次のとおりである。
［一致点］
「洗濯または脱水を行う水槽と、この水槽から空気を吸気するファンと、このファンによって前記水槽からの空気が通過する風路と、この風路の所定位置に設けられ、出入可能な、前記空気からリントや塵埃を除去する乾燥フィルターと、前記ファンによって排気され再び前記水槽へ送り込まれる空気を熱する加熱手段とを備えた洗濯乾燥機。」
　
［相違点１］
　風路の所定位置に設けられ、出入可能な乾燥フィルターが、本願発明では、挿入方向及び取出方向に摺動可能で、周囲が壁面で囲まれ、上下方向に貫通する開口部が形成されたケースの開口部を覆うように、壁面の上端部よりも下方に取り付けられるものであって、ケースを出し入れ可能に収容し、風路の所定位置に形成され、ケースの開口部と連通する開口部を有する収容部を備えるのに対して、刊行物１に記載された発明では、水冷除湿ダクト23の垂直部分と下降風路ダクト25の上端部とを連通させる上部折り返し部材44に、挿脱可能に収納される点。
　
［相違点２］
　本願発明では、乾燥フィルターの下流側であってケースよりも上方に、風路を覆うように取り付けられ、空気からリントや塵埃を除去するバックアップフィルターを備え、加熱手段をバックアップフィルターの下流側に設けたのに対して、刊行物１に記載された発明では、バックアップフィルターを備えておらず、ヒータ29を外槽5の上端部に取り付けた外装上カバー28上に設置した点。
　
［相違点３］
　本願発明では、ケースの挿入方向奥側の壁面に基端が固定されると共に、その先端がバックアップフィルターに接触するように設けられ、バックアップフィルターの塵埃を掻き落とすブラシを備えたのに対して、刊行物１に記載された発明では、当該発明特定事項を具備しない点。
　
５．当審による判断
（１）上記相違点１について
　本願発明と刊行物２に記載された発明とを対比する。
　刊行物２に記載された発明の「回収乾燥作業時に乾燥室3との間で乾燥風を循環させる回収槽4に装着され、槽内のレール23に乗せて抜出自在とされ、周囲を壁面で囲まれ、底壁面がパンチング孔等を利用したフィルター機能を果す箱22と、蓋20と、把手21とを一体化し、リントを捕獲する第１フィルター14」と、本願発明の「風路の所定位置に設けられ、挿入方向及び取出方向に摺動可能で、周囲が壁面で囲まれ、上下方向に貫通する開口部が形成されたケースと、このケースの開口部を覆うように、壁面の上端部よりも下方に取り付けられ、空気からリントや塵埃を除去する乾燥フィルター」とは、前者において、第１フィルター14は、回収槽4の循環される乾燥風風路に装着されるものであり、フィルター機能を果たすパンチング孔が、箱22の底に形成された上下方向に貫通する開口を覆うように取り付けられているものとみなせるから、両者は、「風路の所定位置に設けられ、挿入方向及び取出方向に摺動可能で、周囲が壁面で囲まれ、上下方向に貫通する開口部が形成されたケースと、このケースに、壁面の上端部よりも下方に設けられ、空気からリントや塵埃を除去する乾燥フィルター」であることで共通し、以下同様に、
　刊行物２に記載された発明の「第１フィルター14を通過した乾燥風を乾燥室3に戻す前に再加熱するヒータ17」と、本願発明の「バックアップフィルターの下流側に設けられ、ファンによって排気され再び水槽へ送り込まれる空気を熱する加熱手段」とは、後者において、水槽は洗濯物の乾燥室として機能するものであるから、両者は、「乾燥フィルターの下流側に設けられ、再び乾燥室へ送り込まれる空気を熱する加熱手段」である点で、
　刊行物２に記載された発明の「衣類乾燥機」と、本願発明の「洗濯乾燥機」とは、「乾燥機」である点で、
それぞれ共通する。
　したがって、刊行物２に記載された発明は、「フィルターの作業性の悪化を防止することを目的として、風路の所定位置に設けられ、挿入方向及び取出方向に摺動可能で、周囲が壁面で囲まれ、上下方向に貫通する開口部が形成れたケースと、このケースに、前記壁面の上端部よりも下方に設けられ、前記空気からリントや塵埃を除去する乾燥フィルターと、乾燥フィルターの下流側に設けられ、再び乾燥室へ送り込まれる空気を熱する加熱手段とを備えた乾燥機。」と言い換えることができる。
　ここで、洗濯乾燥機の乾燥風路に取り付けられる乾燥フィルターにおいて、糸屑等の除去を容易にし、使い勝手を良くするために、フィルタを取り付けるために開口部が形成されたケースと、ケースの開口部と連通する開口部を有する収容部に、ケースを出し入れ可能に収容することは、本願の優先権主張の日前に周知の技術事項である（例えば、特開２００６−１３６４４９号公報の糸屑回収装置２２や、特開２００６−８１５７４号公報の糸屑回収装置２２を参照。）。
　そして、刊行物１に記載された発明は、糸屑フィルタ45を備えたものである以上、その糸屑フィルタ45によって捕集された糸屑等の除去を容易にし、使い勝手を良くするという自明の課題を内在していることは当業者にとって明らかである。また、刊行物１に記載された発明と刊行物２に記載された発明とは、リントを捕獲する乾燥フィルターと、乾燥フィルターの下流に設けられた加熱手段とを備えた乾燥機という共通の構成を有する共通の技術分野に属する発明である。
　してみると、刊行物１に記載された発明に、糸屑フィルタ45によって捕集された糸屑等の除去を容易にするために、刊行物２に記載された発明を適用して、糸屑フィルタ45を挿入方向及び取出方向に摺動可能で、周囲が壁面で囲まれたケースに取り付ける構成とすることは当業者が容易になし得たものであり、その際に、乾燥フィルターについて、上記周知のケースと収納部に関する技術事項を参酌して、上記相違点１における本願発明に係る発明特定事項に到達することは当業者が容易になし得たものである。
　
（２）上記相違点２〜３について
　本願発明と刊行物３に記載された発明とを対比する。
　刊行物３に記載された発明の「熱風循環路1に挿抜可能に取り付けられ、熱風中に含まれる糸屑等の塵埃をフィルタ面に付着させる第一集塵フィルタ3」は、その構成及び機能からみて本願発明の「挿入方向及び取出方向に摺動可能で、」「空気からリントや塵埃を除去する乾燥フィルター」に相当する。
　そして、刊行物３に記載された発明の「第一集塵フィルタ3の下流上方に取り付けられ、熱風中に含まれる糸屑等の塵埃をフィルタ面に付着させる、第二集塵フィルタ4」と、本願発明の「乾燥フィルターの下流側であってケースよりも上方に、風路を覆うように取り付けられ、空気からリントや塵埃を除去するバックアップフィルター」とは、後者において、乾燥フィルターがケースに取り付けられることから、「ケースよりも上方」ということは、「乾燥フィルターよりも上方」であり、両者は、「乾燥フィルターの下流側であって乾燥フィルターよりも上方に、風路を覆うように取り付けられ、空気からリントや塵埃を除去するバックアップフィルター」である点で共通し、以下同様に、
　刊行物３に記載された発明の「熱風循環路1の第二集塵フィルタ4からみて、下流上方に取り付けられたヒータ2 」と、本願発明の「バックアップフィルターの下流側に設けられ、ファンによって排気され再び水槽へ送り込まれる空気を熱する加熱手段」とは、「バックアップフィルターの下流側に設けられ、空気を熱する加熱手段」である点で、
　刊行物３に記載された発明の「第一集塵フィルタ3の奥側に設け、第一集塵フィルタ3を熱風循環路1に挿抜する時に第二集塵フィルタ4に接触しながら移動し、第二集塵フィルタ4に付着した塵埃の清掃は自動的に行われるブラシ部材5」と、本願発明の「ケースの挿入方向奥側の壁面に基端が固定されると共に、その先端がバックアップフィルターに接触するように設けられ、バックアップフィルターの塵埃を掻き落とすブラシ」とは、後者において、「ケース」と「乾燥フィルター」を併せたものが「乾燥フィルター部」を構成するといえるから、両者は、「乾燥フィルター部の挿入方向奥側に基端が固定されると共に、その先端がバックアップフィルターに接触するように設けられ、バックアップフィルターの塵埃を掻き落とすブラシ」である点で、
　刊行物３に記載された発明の「熱風を循環させて布帛熱風乾燥機」と、本願発明の「洗濯乾燥機」とは、「乾燥機」である点で、
それぞれ共通する。
　したがって、刊行物３に記載された発明は、「集塵フィルタを清掃する作業は非能率で乾燥機の稼働率が向上しないという問題を解決することを目的として、挿入方向及び取出方向に摺動可能で、空気からリントや塵埃を除去する乾燥フィルターと、乾燥フィルターの下流側であって乾燥フィルターよりも上方に、風路を覆うように取り付けられ、前記からリントや塵埃を除去するバックアップフィルターと、バックアップフィルターの下流側に設けられ、空気を熱する加熱手段と、乾燥フィルター部の挿入方向奥側に固定されると共に、その先端がバックアップフィルターに接触するように設けられ、バックアップフィルターの塵埃を掻き落とすブラシを設けた乾燥機。」と言い換えることができる。
　そして、上記（２）において検討したように、刊行物１に記載された発明が、糸屑フィルタ45によって捕集された糸屑等の除去を容易にし、使い勝手を良くするという自明の課題を内在していることは当業者にとって明らかであり、また、刊行物１に記載された発明と刊行物３に記載された発明とは、リントを捕獲する乾燥フィルターと、乾燥フィルターの下流に設けられた加熱手段とを備えた乾燥機という共通の構成を有する共通の技術分野に属する発明である。
　してみると、刊行物１に記載された発明において、糸屑フィルタ45によって捕集された糸屑等の除去を容易にするために、上記（２）で検討したと同様、糸屑フィルタ45をケースに取り付けたものに、刊行物３に記載された、乾燥フィルタにブラシを設けた発明を適用して、上記相違点２〜３における本願発明に係る発明特定事項に到達することは当業者が容易になし得たものである。
　
（３）小括
　本願発明の効果についてみても、刊行物１〜３に記載された発明及び周知の技術事項から当業者が予測できた効果の範囲内のものである。
　
６．むすび 
　以上のとおりであるから、本願発明は、刊行物１〜３に記載された発明及び周知の技術事項に基づいて当業者が容易に発明をすることができたものであり、特許法第２９条第２項の規定により特許を受けることができない。
　したがって、本願のその他の請求項に係る発明について検討するまでもなく、本願は拒絶すべきものである。
　
　よって、結論のとおり審決する。